(57)【特許請求の範囲】
【請求項１】
それぞれの表示可能領域内で表示画像を表示するための画像表示領域を変更できる複数の表示手段と、
前記複数の表示手段からの光を合成部で光学的に合成することによって生成された光学画像を投影する投影手段と、
前記複数の表示手段のそれぞれの前記画像表示領域を前記表示可能領域内で移動する制御手段と、
前記複数の表示手段の前記表示画像間のずれを調整する調整モードにおいて、前記複数の表示手段のそれぞれに、前記画像表示領域の前記表示可能領域内での移動可能範囲を示す位置調整マーカーと、前記画像表示領域の現在位置を示す現在位置マーカーと、を表示させる画像処理手段と、
前記複数の表示手段の一つを選択し、選択した表示手段の前記画像表示領域の移動を指示するための操作手段と、を有し、
前記制御手段は、前記操作手段の指示に従い、選択された表示手段の前記画像表示領域を移動する
ことを特徴とする投影装置。
【請求項２】
前記位置調整マーカーが、前記現在位置マーカーの外側を特定色で塗りつぶしたものを有することを特徴とする請求項１に記載の投影装置。
【請求項３】
前記現在位置マーカーが、前記画像表示領域に対応する形状を示す１画素以上の幅を有する線分を有することを特徴とする請求項１に記載の投影装置。
【請求項４】
前記複数の表示手段が、それぞれ異なる色の画像を表示する３つの液晶手段を有することを特徴とする請求項１から３の何れか１項に記載の投影装置。
【発明の詳細な説明】
【技術分野】
【０００１】
本発明は、画像をスクリーンに投影する投影装置に関する。
【背景技術】
【０００２】
近年、光の三原色である赤色（Ｒ）、緑色（Ｇ）、及び青色（Ｂ）のそれぞれに対応する３枚の液晶パネルを有する３板式投影装置が知られている。このような投影装置は、光源から出力される光を赤色光と、緑色光と、青色光とに分離させ、各色の光を各液晶パネルに変調させ、３枚の液晶パネルから出力された光を合成することによって画像をスクリーンに表示させていた。
【０００３】
このような投影装置において、各液晶パネルの設置位置のばらつき等により、各液晶パネル同士に相対的な位置ずれが生じてしまう場合があった。この場合、この位置ずれに伴って、スクリーンに表示される画像に色ずれが生じてしまい、ユーザに高品質な画像の投影を提供することができなかった。
【０００４】
現在、赤に対応する液晶パネルにより表示される画像の位置をユーザに調整させる際、他の色に対応する液晶パネルにより表示される画像の位置とのずれ量を示す画像を表示する投影装置が開示されている（特許文献１）。
【先行技術文献】
【特許文献】
【０００５】
【特許文献１】特開２０１３−１０５１７０号公報
【発明の概要】
【発明が解決しようとする課題】
【０００６】
従来、色ずれの調整を行うために選択された液晶パネル以外の液晶パネルによって表示される画像の位置をユーザに対して表示していなかった。そのため、ユーザは、選択された液晶パネルによって表示される画像の位置を知ることはできても、他の液晶パネルによって表示される画像の位置を知ることができなかった。これにより、ユーザにとって、選択された液晶パネルによって表示される画像の位置を他の液晶パネルによって表示される画像の位置に合わせることが困難であった。
【０００７】
そこで、本発明は、ユーザが容易に色ずれの調整を行えるようにすることを目的とする。
【課題を解決するための手段】
【０００８】
本発明に係る投映装置は、それぞれの表示可能領域内で表示画像を表示するための画像表示領域を変更できる複数の表示手段と、前記複数の表示手段からの光を合成部で光学的に合成することによって生成された光学画像を投影する投影手段と、前記複数の表示手段のそれぞれの前記画像表示領域を前記表示可能領域内で移動する制御手段と、前記複数の表示手段の前記表示画像間のずれを調整する調整モードにおいて、前記複数の表示手段のそれぞれに、前記画像表示領域の前記表示可能領域内での移動可能範囲を示す位置調整マーカーと、前記画像表示領域の現在位置を示す現在位置マーカーと、を表示させる画像処理手段と、前記複数の表示手段の一つを選択し、選択した表示手段の前記画像表示領域の移動を指示するための操作手段と、を有し、前記制御手段は、前記操作手段の指示に従い、選択された表示手段の前記画像表示領域を移動することを特徴とする。
【発明の効果】
【０００９】
本発明によれば、ユーザが容易に色ずれの調整を行うようにすることができる。
【図面の簡単な説明】
【００１０】
【図１】実施例１及び２におけるプロジェクタ１００の一例を示すブロック図である。
【図２】画像処理部１４０の一例を示すブロック図である。
【図３】調整処理の一例を示すフローチャートである。
【図４】レジストレーション調整処理の一例を示す説明図である。
【図５】実施例１における表示処理の一例を示す説明図である。
【図６】実施例２における表示処理の一例の説明図である。
【発明を実施するための形態】
【００１１】
以下、図面を参照して、本発明の実施例を詳細に説明するが、本発明は以下の実施の形態に限定されない。
【実施例１】
【００１２】
実施例１では、投影装置１００の一例として、液晶パネルを用いたプロジェクタ１００について説明する。なお、投影装置１００は、ディスプレイ等の表示装置で合っても良い。図１は、プロジェクタ１００の構成の一例を示すブロック図を示す。
【００１３】
プロジェクタ１００は、ＣＰＵ１１０、ＲＯＭ１１１、ＲＡＭ１１２、操作部１１３、画像入力部１３０及び画像処理部１４０を有する。さらに、プロジェクタ１００は、液晶制御部１５０、液晶素子１５１Ｒ，１５１Ｇ，１５１Ｂ、光源制御部１６０、光源１６１、色分離部１６２、色合成部１６３、光学系制御部１７０及び投影光学系１７１を有する。さらに、プロジェクタ１００は、記録再生部１９１、記録媒体１９２、通信部１９３、撮像部１９４、表示制御部１９５及び表示部１９６を有する。
【００１４】
ＣＰＵ１１０は、プロジェクタ１００の各部を制御する。ＲＯＭ１１１は、ＣＰＵ１１０で実行される制御プログラムを記憶する。ＲＡＭ１１２は、ＣＰＵ１１０のワークメモリとして一時的に制御プログラムやデータを格納する。また、ＣＰＵ１１０は、記録再生部１９１により記録媒体１９２から再生された静止画データや動画データを一時的にＲＡＭ１１２に記憶し、ＲＯＭ１１１に記憶されたプログラムを用いて、それぞれの画像や映像を再生処理できる。ＣＰＵ１１０は、通信部１９３より受信した静止画データや動画データを一時的にＲＡＭ１１２に記憶し、ＲＯＭ１１１に記憶されたプログラムを用いて、それぞれの画像や映像を再生することできる。また、ＣＰＵ１１０は、撮像部１９４により得られた画像や映像を一時的にＲＡＭ１１２に記憶し、ＲＯＭ１１１に記憶されたプログラムを用いて、静止画データや動画データに変換して記録媒体１９２に記録させることもできる。
【００１５】
操作部１１３は、ユーザの指示を受け付け、操作部１１３へ操作に応じた指示信号をＣＰＵ１１０に送信する。操作部１１３は、例えば、スイッチやダイヤル、及び表示部１９６上に設けられたタッチパネルなどからなる。操作部１１３は、リモコンからの無線信号を受信し、受信信号に基づいて所定の指示信号をＣＰＵ１１０に送信する信号受信部（赤外線受信部など）を含む。ＣＰＵ１１０は、操作部１１３や通信部１９３から入力される制御信号に従い、プロジェクタ１００の各部を制御する。
【００１６】
画像入力部１３０は、外部装置から映像信号を入力する手段であり、例えば、コンポジット端子、Ｓ映像端子、Ｄ端子、コンポーネント端子、アナログＲＧＢ端子、ＤＶＩ−Ｉ端子、ＤＶＩ−Ｄ端子またはＨＤＭＩ（登録商標）端子等を含む。画像入力部１３０は、アナログ映像信号をデジタル映像信号に変換する変換手段を有する。画像入力部１３０は、入力した映像信号を画像処理部１４０に送信する。画像入力部１３０は、通信ケーブルを介して映像信号を外部装置から受信するものであってもよく、無線通信により外部装置から映像信号を受信するものであっても良い。外部装置は、映像信号を出力できるものであれば、パーソナルコンピュータ、カメラ、携帯電話、スマートフォン、ハードディスクレコーダ又はゲーム機などであってもよい。
【００１７】
画像処理部１４０は、画像入力部１３０により入力された映像信号に対して、フレーム数、画素数及び画像形状などの変更処理を行って液晶制御部１５０に供給する。画像処理部１４０は、フレーム間引き処理、フレーム補間処理、解像度変換処理及び歪み補正処理（キーストン補正処理）等の処理を実行可能である。また、画像処理部１４０は、画像入力部１３０から受信した映像信号以外にも、ＣＰＵ１１０によって再生された画像や映像に対して前述の変更処理を施すこともできる。
【００１８】
液晶制御部１５０は、画像処理部１４０から供給される１フレームの映像信号に応じて、液晶素子（表示手段）１５１Ｒ，１５１Ｇ，１５１Ｂの画素単位の透過率を制御する。液晶制御部１５０は、画像処理部１４０で処理された映像信号のＲ（赤色）信号に応じて液晶素子１５１Ｒを駆動し、Ｇ（緑色）信号に応じて液晶素子１５１Ｇを駆動し、Ｂ（青色）信号に応じて液晶素子１５１Ｂを駆動する。色分離部１６２は、光源１６１からの白色照明光を赤色光、緑色光及び青色光に分離し、分離された照明光を液晶素子１５１Ｒ，１５１Ｇ，１５１Ｂに供給する。これにより、液晶素子１５１Ｒは、表示対象となるＲＧＢ画像の赤色画像を表示し、液晶素子１５１Ｇは、表示対象となるＲＧＢ画像の緑色画像を表示し、液晶素子１５１Ｂは、表示対象となるＲＧＢ画像の青色画像を表示する。液晶素子１５１Ｒ，１５１Ｇ，１５１Ｂはそれぞれ、色分離部１６２で分離された照明光を空間強度変調してそれぞれの色の光学画像を生成する光変調手段である。
【００１９】
液晶素子（液晶表示パネル）１５１Ｒ，１５１Ｇ，１５１Ｂはそれぞれ、投影すべき画像を表示する画像表示領域より大きな表示可能領域を有する表示手段である。表示可能領域は、各液晶素子が画像を表示することができる領域であり、画像表示領域は、各液晶素子が画像を表示する領域である。画像表示領域は、表示可能領域に含まれ、画像表示領域の大きさは、表示可能領域の大きさ以下である。液晶素子１５１Ｒ（第１の表示手段）には、赤色（Ｒ）の光が入射され、液晶素子１５１Ｇ（第２の表示手段）には、緑色（Ｇ）の光が入射され、液晶素子１５１Ｂ（第３の表示手段）には、青色（Ｂ）の光が入射される。液晶制御部１５０は、各液晶素子１５１Ｒ，１５１Ｇ，１５１Ｂの表示可能領域内における画像表示領域の位置を制御する表示位置制御手段としての機能を具備する。詳細は後述するが、本実施例は、この機能を使って液晶素子（液晶表示パネル）１５１Ｒ，１５１Ｇ，１５１Ｂの表示画像間の色ずれの手動調整を可能とする。
【００２０】
光源制御部１６０は、光源１６１がオンまたはオフとなるように制御し、光源１６１がオンである場合における光量を制御する。光源１６１は、液晶素子１５１Ｒ，１５１Ｇ，１５１Ｂの照明光を生成する。光源１６１は、例えば、ハロゲンランプ、キセノンランプ又は高圧水銀ランプなどを含む。光源１６１の出力光は、色分離部１６２に供給される。光源１６１の出力光は、色分離部１６２によって赤色用、緑色用及び青色用に分離または分割され、各分離光が液晶素子１５１Ｒ，１５１Ｇ，１５１Ｂに入射する。色分離部１６２は、光源１６１の出力光を赤色（Ｒ）、緑色（Ｇ）及び青色（Ｂ）に分離する素子であり、例えば、ダイクロイックミラーやプリズムなどを含む。なお、光源１６１として、各色に対応する光を出力するＬＥＤ等を使用する場合、色分離部１６２は不要となる。
【００２１】
色合成部１６３は、液晶素子１５１Ｒ，１５１Ｇ，１５１Ｂの透過光を合成する。これにより、表示対象となる画像の本来の色を示す光学画像が生成される。色合成部１６３は、液晶素子１５１Ｒ、１５１Ｇ、１５１Ｂを透過した赤色（Ｒ）、緑色（Ｇ）、青色（Ｂ）の光学画像を空間的に合成する素子であり、例えば、ダイクロイックミラーやプリズムなどを含む。色合成部１６３により合成された光学画像はフルカラーの画像であり、投影光学系１７１により不図示のスクリーンに投影される。本実施例では、後述するように、液晶素子１５１Ｒ，１５１Ｇ，１５１Ｂの横方向での相対的位置関係を手動で調整できる。
【００２２】
投影光学系１７１は、複数のレンズ及びレンズ駆動用アクチュエータを含み、レンズをアクチュエータにより駆動することで、スクリーンに投影される投影画像の拡大、縮小及び焦点調整などを行う。光学系制御部１７０は、投影光学系１７１の倍率及び焦点を制御する。
【００２３】
記録再生部１９１は、記録媒体１９２から静止画データや動画データを再生し、撮像部１９４により得られた画像や映像の静止画データや動画データをＣＰＵ１１０から受信して記録媒体１９２に記録する。記録再生部１９１はまた、通信部１９３により受信される静止画データや動画データを記録媒体１９２に記録する。記録媒体１９２は、静止画データ、動画データ、及びプロジェクタ１００を制御する制御データなどを記録できる。記録媒体１９２は、プロジェクタ１００に着脱可能な記録媒体であっても、プロジェクタ１００に内蔵された記録媒体であってもよい。
【００２４】
通信部１９３は外部機器と通信し、外部機器から制御信号、静止画データ及び動画データなどを受信する。通信部１９３は例えば、無線ＬＡＮ、有線ＬＡＮ、ＵＳＢ又はＢｌｕｅｔｏｏｔｈ（登録商標）などを利用でき、通信方式は特定のものに限定されない。画像入力部１３０の端子が例えばＨＤＭＩ（登録商標）端子である場合、通信部１９３は、その端子を介してＣＥＣ通信を行うものであっても良い。外部機器は例えば、パーソナルコンピュータ、カメラ、携帯電話、スマートフォン、ハードディスクレコーダ、ゲーム機又はリモコンなどである。
【００２５】
撮像部１９４は、投影光学系１７１により不図示のスクリーンに投影された画像を撮影する。撮像部１９４は、撮影画像データをＣＰＵ１１０に送信する。ＣＰＵ１１０は、撮像部１９４からの画像データを一時的にＲＡＭ１１２に記憶し、ＲＯＭ１１１に記憶されたプログラムに基づいて、静止画データ又は動画データに変換する。撮像部１９４は、光学像を画像信号に変換する撮像素子、被写体の光学像を撮像素子に入射するレンズ、レンズを駆動するアクチュエータ、アクチュエータを制御するマイクロプロセッサ、撮像素子の出力画像信号をデジタル信号に変換するＡＤ変換部などを含む。なお、撮像部１９４は、例えば、不図示のスクリーンとは逆方向の視聴者側を撮影するものであっても良い。
【００２６】
表示制御部１９５は、プロジェクタ１００を操作するための操作画面やスイッチアイコン等の画像を表示部１９６に表示させる。表示部１９６は、例えば、液晶ディスプレイ、ＣＲＴディスプレイ、有機ＥＬディスプレイまたはＬＥＤディスプレイであっても良い。また、表示部１９６は、特定のボタンをユーザに認識可能に掲示するために、各ボタンに対応するＬＥＤ等を発光させるものであってもよい。
【００２７】
図２は、画像処理部１４０の構成の一例を示すブロック図である。画像処理部１４０は、各種画像処理部２１０、ＯＳＤ重畳部２２０及びマーカー重畳部２３０を有する。
【００２８】
元画像信号ｓ２０１は、画像入力部１３０、記録再生部１９１及び通信部１９３のいずれか一つから画像処理部１４０に入力される。タイミング信号ｓ２０２は、元画像信号ｓ２０１に同期した垂直同期信号、水平同期信号またはクロックなどのタイミング信号であって、元画像信号ｓ２０１の供給元である画像入力部１３０、記録再生部１９１及び通信部１９３のいずれか一つから供給される。画像処理部１４０内の各部は、タイミング信号ｓ２０２に基づいて動作するが、画像処理部１４０の内部でタイミング信号を作り直して使用してもよい。
【００２９】
各種画像処理部２１０は、ＣＰＵ１１０と連携して動作し、元画像信号ｓ２０１に各種画像処理を施し、生成した画像処理信号ｓ２０３をＯＳＤ重畳部２２０に出力する。各種画像処理は例えば、ＩＰ変換、フレームレート変換、解像度変換、γ変換、色域変換、色補正及びエッジ強調などである。
【００３０】
ＯＳＤ重畳部２２０は、ＣＰＵ１１０の指示により、操作部１１３や不図示のリモコンからの情報に応じた調整用メニューをＯＳＤ画像として画像処理信号ｓ２０３に重畳することによって、ＯＳＤ重畳信号ｓ２０４を生成する。ＯＳＤ重畳部２２０は、生成したＯＳＤ重畳信号ｓ２０４をマーカー重畳部２３０に出力する。
【００３１】
マーカー重畳部２３０は、ＣＰＵ１１０の指示により、操作部１１３や通信部１９３から受信する制御信号に応じて、所定のマーカーをＯＳＤ重畳信号ｓ２０４に重畳し、マーカー重畳信号ｓ２０５を生成する。
【００３２】
画像処理部１４０は、上記のように生成されたマーカー重畳信号ｓ２０５を液晶制御部１５０に供給し、液晶制御部１５０は、マーカー重畳信号ｓ２０５に応じた画像を液晶素子１５１Ｒ、１５１Ｇ、１５１Ｂに表示させる。
【００３３】
プロジェクタ１００によって行われる調整処理を説明する。ここでの調整処理とは、ユーザに色ずれを調整させるために、プロジェクタ１００によって行われる処理である。調整処理が行われる場合、ユーザの操作に応じて、色ずれは、電気的に補正される。色ずれを電気的に補正する処理は、レジストレーション調整または画素ずれ調整等と呼ばれる。以下、実施例１では、色ずれを電気的に補正する処理を「レジ調整」と呼ぶ。
【００３４】
図３は、ＣＰＵ１１０によって実行される調整処理の一例を示すフローチャートである。なお、図３に示す調整処理は、調整用メニューを表示するようにユーザが操作部１１３を操作した場合に実行される。
【００３５】
Ｓ３０１で、ＣＰＵ１１０は、ユーザが操作部１１３を操作することによって、プロジェクタ１００がレジ調整モードに遷移した否かを判断する。ＣＰＵ１１０は、プロジェクタ１００がレジ調整モードに遷移した場合（Ｓ３０１でＹｅｓ）、Ｓ３０２へ遷移する。レジ調整モードとは、ユーザによって行われた操作に応じて、色ずれを電気的に補正するためのモードである。
【００３６】
色ずれを低減するためには、以下のような操作をユーザが行う必要がある。まず、ユーザは、操作部１１３を操作することによって、液晶素子１５１Ｒ、液晶素子１５１Ｇ及び液晶素子１５１Ｂのいずれか一つを選択する。その後、ユーザは、操作部１１３を操作することによって、選択した液晶素子における画像表示領域の位置を、選択されていない他の二つの液晶素子の画像表示領域の位置に合わせる必要がある。しかしながら、ユーザは、選択されていない他の二つの液晶素子の画像表示領域の位置を知ることができなかったので、選択した液晶素子における画像表示領域の位置をうまく調整することができなかった。そこで、ＣＰＵ１１０は、Ｓ３０２及びＳ３０３を実行することによって、ユーザの操作を容易にしつつ、選択した液晶素子における画像表示領域の位置を適切に調整できるようにする。
【００３７】
Ｓ３０２で、ＣＰＵ１１０は、液晶制御部１５０から液晶素子１５１Ｒ、液晶素子１５１Ｇ及び液晶素子１５１Ｂの各レジ調整量を取得する。液晶素子１５１Ｒに対するレジ調整量とは、例えば、画像表示領域における液晶素子１５１Ｒの位置がユーザによってどれくらい変更されたかを示す情報である。また、液晶素子１５１Ｇに対するレジ調整量とは、例えば、画像表示領域における液晶素子１５１Ｇの位置がユーザによってどれくらい変更されたかを示す情報である。また、液晶素子１５１Ｂに対するレジ調整量とは、例えば、画像表示領域における液晶素子１５１Ｂの位置がユーザによってどれくらい変更されたかを示す情報である。
【００３８】
Ｓ３０３で、ＣＰＵ１１０は、Ｓ３０２で取得したレジ調整値に基づいて表示処理を行う。Ｓ３０３における表示処理は、ユーザに行わせる調整を簡単にするための所定画像を表示するようにマーカー重畳部２３０を制御する処理である。表示される所定画像は、現在選択されている液晶素子の画像表示領域の位置を示す画像と、現在選択されている液晶素子の画像表示領域の位置の変更可能な範囲を示す画像とを含む。さらに、所定画像は、現在選択されていない各液晶素子の画像表示領域の位置を示す画像と、現在選択されていない各液晶素子の画像表示領域の位置の変更可能な範囲を示す画像を含む。
【００３９】
図４を参照して、Ｓ３０３での表示処理で表示される所定画像の例を説明する。図４（ａ）は、液晶素子１５１Ｒ及び液晶素子１５１Ｇの構成例を示す。液晶素子１５１Ｂも、液晶素子１５１Ｒ及び液晶素子１５１Ｇと同様な構成を有するが、
説明を簡単にするために、液晶素子１５１Ｂについては説明を省略する。
【００４０】
液晶素子１５１Ｒの全体の画素を含む領域を総画素領域（表示可能領域）４２０ｒと呼び、総画素領域４２０ｒのうち、スクリーンに画像を表示させるために用いられる領域を画像表示領域４１０ｒと呼ぶ。また、液晶素子１５１Ｇの全体の画素を含む領域を総画素領域４２０ｇ（表示可能領域）と呼び、総画素領域４２０ｇのうち、スクリーンに画像を表示させるために用いられる領域を画像表示領域４１０ｇと呼ぶ。
【００４１】
例えば、ユーザは、操作部１１３を用いて液晶素子１５１Ｒ、１５１Ｇ及び１５１Ｂの中から液晶素子１５１Ｒを選択した場合、操作部１１３を用いて、総画素領域４２０ｒ内における画像表示領域４１０ｒの位置を変更できる。このとき、液晶素子１５１Ｇは、ユーザによって選択されていないので、ユーザが操作部１１３を操作したとしても、総画素領域４２０ｇ内における画像表示領域４１０ｇの位置は変更されない。
【００４２】
以下、ユーザが操作部１１３を用いて液晶素子１５１Ｒ、液晶素子１５１Ｇ及び液晶素子１５１Ｂの中から液晶素子１５１Ｒを選択した場合を、一例として、Ｓ３０３の処理について説明する。この場合、Ｓ３０３において、ＣＰＵ１１０は、表示処理として、位置調整マーカーｍｋ４０１ｒ、現在位置マーカーｍｋ４０２ｒ、位置調整マーカーｍｋ４０１ｇ及び現在位置マーカーｍｋ４０２ｇを表示するようにマーカー重畳部２３０を制御する。
【００４３】
位置調整マーカーｍｋ４０１ｒは、現在選択されている液晶素子１５１Ｒの画像表示領域４１０ｒの位置の変更可能な範囲を示す画像である。位置調整マーカーｍｋ４０１ｒは、総画素領域４２０ｒ内の特定の位置に表示される。位置調整マーカーｍｋ４０１ｒが総画素領域４２０ｒ内で表示される位置は、ユーザが操作部１１３を操作したとしても変更されない。
【００４４】
現在位置マーカーｍｋ４０２ｒは、現在選択されている液晶素子１５１Ｒの画像表示領域４１０ｒの現在位置を示す画像である。現在位置マーカーｍｋ４０２ｒは、総画素領域４２０ｒにおける画像表示領域４１０ｒの現在位置を、位置調整マーカーｍｋ４０１ｒに対して相対的に示す。現在位置マーカーｍｋ４０２ｒは、画像表示領域４１０ｒ内の特定の位置に表示される。現在位置マーカーｍｋ４０２ｒが画像表示領域４１０ｒ内で表示される位置は、ユーザが操作部１１３を操作した場合、操作部１１３に対して行われた操作に応じて変更される。
【００４５】
図４（ａ）に示すように、現在位置マーカーｍｋ４０２ｒは、位置調整マーカーｍｋ４０１ｒ内に表示される。現在位置マーカーｍｋ４０２ｒが位置調整マーカーｍｋ４０１ｒ内で移動可能な範囲が、画像表示領域４１０ｒの位置の変更可能な範囲となる。すなわち、位置調整マーカーｍｋ４０１ｒ内において、現在位置マーカーｍｋ４０２ｒが上方向に移動可能な範囲Ｗｄ１ｒは、総画素領域４２０ｇ内で画像表示領域４１０ｒが上方向に移動可能な範囲Ｗ１ｒに対応する。同様に、現在位置マーカーｍｋ４０２ｒが右方向に移動可能な範囲Ｗｄ２ｒは、総画素領域４２０ｇ内で画像表示領域４１０ｒが右方向に移動可能な範囲Ｗ２ｒに対応する。現在位置マーカーｍｋ４０２ｒが下方向に移動可能な範囲Ｗｄ３ｒは、総画素領域４２０ｇ内で画像表示領域４１０ｒが下方向に移動可能な範囲Ｗ３ｒに対応する。現在位置マーカーｍｋ４０２ｒが左向に移動可能な範囲Ｗｄ４ｒは、総画素領域４２０ｇ内で画像表示領域４１０ｒが左方向に移動可能な範囲Ｗ４ｒに対応する。現在位置マーカーｍｋ４０２ｒは、位置調整マーカーｍｋ４０１ｒ内でしか移動できず、画像表示領域４１０ｒは、総画素領域４２０ｇ内でしか移動できない。
【００４６】
位置調整マーカーｍｋ４０１ｇは、現在選択されていない液晶素子１５１Ｇの画像表示領域４１０ｇの位置の変更可能な範囲を示す画像である。位置調整マーカーｍｋ４０１ｇは、総画素領域４２０ｇ内の特定の位置に表示される。位置調整マーカーｍｋ４０１ｇが総画素領域４２０ｇに表示される位置は、ユーザが操作部１１３を操作したとしても変更されない。
【００４７】
現在位置マーカーｍｋ４０２ｇは、現在選択されていない液晶素子１５１Ｇの画像表示領域４１０ｇの現在位置を示す画像である。現在位置マーカーｍｋ４０２ｒは、総画素領域４２０ｇにおける画像表示領域４１０ｇの現在位置を、位置調整マーカーｍｋ４０１ｇに対して相対的に示す。現在位置マーカーｍｋ４０２ｇは、画像表示領域４１０ｇ内の特定の位置に表示される。現在位置マーカーｍｋ４０２ｇが画像表示領域４１０ｒ内で表示される位置は、ユーザが操作部１１３を操作した場合、操作部１１３に対して行われたとしても変更されない。
【００４８】
図４（ａ）に示すように、現在位置マーカーｍｋ４０２ｇは、位置調整マーカーｍｋ４０１ｇ内に表示される。現在位置マーカーｍｋ４０２ｇが位置調整マーカーｍｋ４０１ｇ内で移動可能な範囲が、画像表示領域４１０ｇの位置変更可能範囲となる。すなわち、現在位置マーカーｍｋ４０２ｇが右方向に移動可能な範囲Ｗｄ２ｇは、総画素領域４２０ｇ内で画像表示領域４１０ｇが右方向に移動可能な範囲Ｗ２ｇに対応する。現在位置マーカーｍｋ４０２ｇが下方向に移動可能な範囲Ｗｄ３ｇは、総画素領域４２０ｇ内で画像表示領域４１０ｇが下方向に移動可能な範囲Ｗ３ｇに対応する。現在位置マーカーｍｋ４０２ｇが左方向に移動可能な範囲Ｗｄ４ｇは、総画素領域４２０ｇ内で画像表示領域４１０ｇが左方向に移動可能な範囲Ｗ４ｇに対応する。なお、現在位置マーカーｍｋ４０２ｇは、位置調整マーカーｍｋ４０１ｇ内でしか移動できず、画像表示領域４１０ｇは、総画素領域４２０ｇ内でしか移動できない。図４（ａ）に示す例では、現在位置マーカーｍｋ４０２ｇは、上方向に移動できず、画像表示領域４１０ｇは、上方向に移動できない。
【００４９】
Ｓ３０３の表示処理が行われた場合、ＣＰＵ１１０は、図４（ｂ）に示すような画像をスクリーンに投影するようにプロジェクタ１００を制御する。位置調整マーカーｍｋ４０１ｒ、現在位置マーカーｍｋ４０２ｒ、位置調整マーカーｍｋ４０１ｇ、現在位置マーカーｍｋ４０２ｇ、画像表示領域４１０ｒ及び画像表示領域４１０ｇが、図４（ｂ）に示す位置関係でスクリーンに表示される。ユーザは、図４（ｂ）に示される表示を確認しながら、現在位置マーカーｍｋ４０２ｒが現在位置マーカーｍｋ４０２ｇに重なるように操作部１１３を操作することができる。  
【００５０】
図４（ｂ）に示す例では、ユーザは、液晶素子１５１Ｒの画像表示領域４１０ｒの位置を変更可能な範囲と、液晶素子１５１Ｇの画像表示領域４１０ｇの位置を変更可能な範囲とを視覚的に確認しつつ、画像表示領域４１０ｒの位置を調整できる。そのため、プロジェクタ１００は、画像表示領域４１０ｇの位置とずれていく方向に画像表示領域４１０ｒの位置を変更してしまうような調整をユーザに行わせないようにすることが防止できる。
【００５１】
図４（ｂ）のような表示がＳ３０３によって行われた場合、ユーザは、画像表示領域４１０ｒの位置を下方向に移動させるような操作を操作部１１３で行えばよいことが視覚的にわかるので、容易に色ずれを調整できる。
【００５２】
Ｓ３０３では、ＣＰＵ１１０は、位置調整マーカーｍｋ４０１ｒ、現在位置マーカーｍｋ４０２ｒ、位置調整マーカーｍｋ４０１ｇ及び現在位置マーカーｍｋ４０２ｇをスクリーンに表示するようにしても良い。
【００５３】
ユーザは、Ｓ３０３で表示される画像を確認しながら、画像表示領域４１０ｒの位置を調整するように操作部１１３を操作する。Ｓ３０４において、ＣＰＵ１１０は、操作部１１３に入力されたユーザからの操作に従ってレジストレーション調整を実施する。図５を参照して、Ｓ３０４で行われるレジストレーション調整処理について説明する。
【００５４】
図５（ａ）は、画像信号と垂直同期信号Ｖｓｙｎｃの関係を示す。画像信号上の画像５１０は、垂直同期信号Ｖｓｙｎｃを基準に一定のタイミングで入力される。各液晶素子の画像表示領域に表示される画像によって画像５１０は描画される。ＣＰＵ１１０の指示を受けた液晶制御部１５０が、液晶素子１５１Ｒ、１５１Ｇ、１５１Ｂのそれぞれに、垂直同期信号Ｖｓｙｎｃを基準に個別に生成したパネル描画開始信号ＶＳＴと画像信号を供給する。液晶素子１５１Ｒ、１５１Ｇ、１５１Ｂは、入力されたパネル描画開始信号ＶＳＴを基準に表示画素数分だけ画像信号の描画を開始する（図４（ｂ）参照）。つまり、パネル描画開始信号ＶＳＴによってパネル描画領域５２０上の画像５１０の描画位置が決まり、スクリーン上で表示される画像５１０の表示位置が決まる。液晶制御部１５０が生成するパネル描画開始信号ＶＳＴの位相を垂直同期信号Ｖｓｙｎｃに対してずらすことで、画像５１０の表示位置を調整できる。例えば、ＣＰＵ１１０は、液晶素子１５１Ｒに供給されるパネル描画開始信号ＶＳＴの、垂直同期信号Ｖｓｙｎｃに対する位相量を制御することで、液晶素子１５１Ｒの画像表示領域４１０ｒの位置を調整できる。
【００５５】
Ｓ３０４で、選択された液晶素子１５１Ｒの画像表示領域４１０ｒの位置が調整されると、ＣＰＵ１１０は、ユーザからの操作に応じて、液晶素子１５１Ｒに供給されるパネル描画開始信号ＶＳＴの位相をずらすように液晶制御部１５０を制御する。
【００５６】
Ｓ３０４が行われた後、ユーザは、レジ調整を続行するか完了するかの選択と、調整対象となる液晶素子の変更を行うことができる。Ｓ３０５において、ＣＰＵ１１０は、ユーザからの操作部１１３への操作に従って、レジ調整を完了するか否かを判定する。レジ調整を完了するとＣＰＵ１１０によって判定された場合、ＣＰＵ１１０は、Ｓ３０２に戻る。
【００５７】
ユーザが操作部１１３でレジ調整の完了を選択すると（Ｓ３０５でＹ）、Ｓ３０６で、ＣＰＵ１１０は、Ｓ３０３の表示処理を終了するようにマーカー重畳部２３０を制御する。これにより、位置調整マーカーｍｋ４０１ｒ、現在位置マーカーｍｋ４０２ｒ、位置調整マーカーｍｋ４０１ｇ及び現在位置マーカーｍｋ４０２ｇは、スクリーンに表示されなくなる。
【００５８】
以上説明したように、実施例１によれば、ユーザはスクリーン上で各液晶素子の画像表示領域の移動可能範囲を確認しながらレジ調整を行うことが可能となる。これにより適切にユーザがレジ調整を行うことが可能になり、ユーザにレジ調整をやり直しさせるような事態を低減することができる。
【００５９】
上記説明では、現在位置マーカーｍｋ４０２ｒ、ｍｋ４０２ｇの形状を矩形で説明したが、これに限定されるものではない。例えば、１画素以上の幅を有する十字の線分で画像表示領域に比例するサイズを表示するものであっても良い。また、現在位置マーカーｍｋ４０２ｒ、ｍｋ４０２ｇは、画像表示領域に対応する４辺形の４辺または４隅を示すものあればよく、例えば、Ｔ字の形状、十字の形状、または鉤括弧（「、」）などの角部を明示する形状などであってもよい。位置調整マーカーｍｋ４０１ｒ、ｍｋ４０１ｇについても、表示可能領域に対応する４辺形の４辺または４隅を示すものあればよい。なお、現在位置マーカーｍｋ４０２ｒ、ｍｋ４０２ｇの形状に応じて、位置調整マーカーｍｋ４０１ｒ、ｍｋ４０１ｇは生成される。
【００６０】
現在位置マーカーｍｋ４０２ｒ，ｍｋ４０２ｇ及び位置調整マーカーｍｋ４０１ｒ，ｍｋ４０１ｇの階調値に関して、白または黒に相当する階調に限定されない。例えば、背景となる映像信号の階調を考慮してその補色となる色に相当する階調のマーカーを表示しても良い。あるいは、時間分割してマーカーを点滅させるようにしても良い。
【実施例２】
【００６１】
Ｓ３０３において、画像表示領域４１０ｒ外にマーカーｍｋ６００ｒを表示し、画像表示領域４１０ｇ外にマーカーｍｋ６００ｇを表示するようにしても良い。実施例２において、画像表示領域４１０ｒ外にマーカーｍｋ６００ｒを表示し、画像表示領域４１０ｇ外にマーカーｍｋ６００ｇを表示する場合について説明を行う。実施例２において、実施例１と異なる処理と機能について、説明を行うが、実施例１と共通する処理や機能については説明を省略する。実施例２におけるＳ３０３について以下説明を行う。
【００６２】
ユーザが操作部１１３を用いて液晶素子１５１Ｒ、液晶素子１５１Ｇ及び液晶素子１５１Ｂの中から液晶素子１５１Ｒを選択した場合を一例に挙げて、実施例２の動作について説明する。
【００６３】
ＣＰＵ１１０は、Ｓ３０３で、画像表示領域４１０ｒ、画像表示領域４１０ｇ、マーカーｍｋ６００ｒ及びマーカーｍｋ６００ｇを所定画像としてスクリーンに表示する。マーカーｍｋ６００ｒ及びマーカーｍｋ６００ｇの一例を図６に示す。
【００６４】
図６（ａ）に示すように、液晶素子１５１Ｒの総画素領域（表示可能領域）４２０ｒの中にその一部として画像表示領域４１０ｒを有する。液晶素子１５１Ｇの総画素領域（表示可能領域）４２０ｇの中にその一部として画像表示領域４１０ｇを有する。マーカーｍｋ６００ｒは、総画素領域（表示可能領域）４２０ｒの画像表示領域４１０ｒ以外の領域を特定色で塗りつぶした画像からなり、マーカーｍｋ６００ｇは、総画素領域４２０ｇの画像表示領域４１０ｇ以外の領域を特定色で塗りつぶした画像である。マーカーｍｋ６００ｒによって示される領域は、画像表示領域４１０ｒが移動可能な範囲を示し、マーカーｍｋ６００ｇによって示される領域は、画像表示領域４１０ｇが移動可能な範囲を示す。
【００６５】
液晶素子１５１Ｒがユーザによって選択され、Ｓ３０３の表示処理が実行されたとする。このとき、ＣＰＵ１１０は、図６（ｂ）に示すようにマーカーｍｋ６００ｒ及びマーカーｍｋ６００ｇ、画像表示領域４１０ｒ及び画像表示領域４１０ｇをスクリーンに表示させる。ユーザは、マーカーｍｋ６００ｒ，ｍｋ６００ｇ及び画像表示領域４１０ｒ，４１０ｇを参照して、画像表示領域４１０ｒが画像表示領域４１０ｇに重なるように、操作部１１３により、画像表示領域４１０ｒの位置を調整する。図６（ｂ）に示す例では、選択された液晶素子１５１Ｒの画像表示領域４１０ｒの位置変更可能範囲と、選択されていない液晶素子１５１Ｇの画像表示領域４１０ｇの位置変更可能範囲とを視覚的に確認しつつ、画像表示領域４１０ｒの位置を調整できる。画像表示領域４１０ｇの位置とずれていく方向に画像表示領域４１０ｒの位置を変更してしまう調整を低減することができる。
【００６６】
実施例２でも、ユーザが液晶素子１５１Ｇまたは液晶素子１５１Ｂをレジ調整の対象として選択した場合も、実施例２におけるＳ３０３において、液晶素子１５１Ｒが選択された場合と同様の処理を行う。
【００６７】
マーカーｍｋ６００ｒ及びマーカーｍｋ６００ｇは、特定の色で塗りつぶすタイプの表現に限定されない。例えば、液晶素子の総画素領域の最外郭の画素のみ階調を制御することでマーカーｍｋ６００ｒ及びマーカーｍｋ６００ｇを表示するようにしても良い。
【００６８】
また、実施例１と同様に、マーカーｍｋ６００ｒ及びマーカーｍｋ６００ｇの階調値に関して白または黒に相当する階調に限定されない。例えば、背景となる映像信号の階調を考慮してその補色となる色に相当する階調のマーカーを表示しても良い。また、マーカーｍｋ６００ｒ及びマーカーｍｋ６００ｇを点滅させるようにしても良い。
【００６９】
ＣＰＵ１１０がマーカー重畳部２３０に指示を出し、ＯＳＤ重畳信号ｓ２０４の画像表示領域以外の領域の階調を制御することによって、マーカーｍｋ６００ｒ及びマーカーｍｋ６００ｇの表示を行うこともできる。
【００７０】
実施例２においては、総画素領域４２０ｒ、４２０ｇ内で画像表示領域４１０ｒ、４１０ｇの外側の領域に画像表示領域４１０ｒ，４１０ｇの移動可能範囲を表示するようにした。このようにすることで、ユーザは、スクリーン上に表示されている画像表示領域４１０ｒ、４１０ｇがレジ調整可能な相対的な範囲を目視で確認できる。
【００７１】
以上説明したように、画像表示領域４１０ｒ，４１０ｇの移動可能範囲を総画素領域内の表示画像より外の領域に重畳して表示することで、ユーザは、画像表示領域の位置調整可能な範囲を視覚的に認識できる。これにより、適切にユーザがレジ調整を行うことが可能になり、ユーザにレジ調整をやり直しさせるような事態を低減することができる。
【００７２】
（他の実施例）
本発明に係るプロジェクタ１００は、実施例１及び２で説明したプロジェクタ１００に限定されるものではない。例えば、本発明に係るプロジェクタ１００は、複数の装置から構成されるシステムにより実現することも可能である。
【００７３】
また、実施例１及び２で説明した様々な処理及び機能は、コンピュータプログラムにより実現することも可能である。この場合、本発明に係るコンピュータプログラムは、コンピュータ（ＣＰＵ等を含む）で実行可能であり、本実施例で説明した様々な機能を実現することになる。
【００７４】
本発明に係るコンピュータプログラムは、コンピュータ上で稼動しているＯＳ（Ｏｐｅｒａｔｉｎｇ  Ｓｙｓｔｅｍ）などを利用して、本実施例で説明した様々な処理及び機能を実現してもよいことは言うまでもない。
【００７５】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【図１】
0006562653.tif 000002
【図２】
0006562653.tif 000003
【図３】
0006562653.tif 000004
【図４】
0006562653.tif 000005
【図５】
0006562653.tif 000006
【図６】
0006562653.tif 000007